(57)【要約】【課題】容器の開閉の際に、使用者に楽しさを与え、購買意欲を飛躍的に向上させることができる包装用容器の提供を目的とする。【解決手段】容器の外周を覆うハウジング部材１０と；ハウジング部材１０の内側に、該ハウジング部材１０と摺動自在に嵌め込まれ、内部に被包装物を収納する収納部材２０とを備え；ハウジング部材１０又は前記収納部材２０には、ハウジング部材１０と収納部材２０との摺動に伴って弾性エネルギーを蓄積させることが可能な反発部材２１が形成され；ハウジング部材１０と収納部材２０との摺動に伴って前記蓄積された弾性エネルギーを解放することにより反発部材２１と収納部材２０又はハウジング部材１０とを衝突させて音を発生させるように構成されているので、容器の開閉の際に使用者に楽しさを与え、購買意欲を飛躍的に向上させることができる包装用容器を提供することができる。【選択図】  図２
2004323079.tif 000002
【特許請求の範囲】
【請求項１】
容器の外周を覆うハウジング部材と；
前記ハウジング部材の内側に、該ハウジング部材と摺動自在に嵌め込まれ、内部に被包装物を収納する収納部材とを備え；
前記ハウジング部材又は前記収納部材には、前記ハウジング部材と前記収納部材との摺動に伴って弾性エネルギーを蓄積させることが可能な反発部材が形成され；
前記ハウジング部材と前記収納部材との摺動に伴って前記蓄積された弾性エネルギーを解放することにより前記反発部材と前記収納部材又は前記ハウジング部材とを衝突させて音を発生させるように構成された；
包装用容器。
【請求項２】
前記ハウジング部材は、シート状材料で形成されたスリーブであり、前記収納部材は、シート状材料で形成された中舟であり；
前記中舟には、シート状材料を切り込むことにより前記反発部材を形成し、前記ハウジング部材は、シート状材料を切り欠いて、該切り欠き部分で前記蓄積された弾性ネルギーが解放されるように構成された；
請求項１に記載の包装用容器。
【請求項３】
シート状材料を互いに平行な罫線で折り曲げて、４つの長方形の平面と、１つの貼り代を形成し、前記貼り代を前記４つの長方形の平面の１つに貼り付けることにより四角筒状に形成されたハウジング部材と；
前記ハウジング部材の四角筒の内側に、該ハウジング部材と摺動自在に嵌め込まれ、内部に被包装物を収納する、シート状材料で形成された収納部材であって、１の面が開放された直方体の収納部材とを備え；
前記収納部材の前記１の面に対向する面であって前記ハウジング部材と摺動する面に、前記摺動の方向にほぼ平行な２本の線と前記摺動の方向にほぼ直角な１本の線とを切断することによりコの字状に切り込みを入れ、該切り込みを前記摺動の方向にほぼ直角な１本の線に平行な線で外側に折り曲げることにより反発部材を形成し；
前記貼り代を前記切り込みに対応する箇所で切り欠いて、該切り欠きの部分を前記反発部材が通過する際に反発して音を発生するように構成した；
包装用容器。
【請求項４】
前記収納部材又は前記ハウジング部材には、前記収納部材を前記ハウジング部材から摺動させて引き出した際に、一定の位置で摺動を停止させるストッパーが形成されている、請求項１乃至請求項３のいずれか１項に記載の包装用容器。
【発明の詳細な説明】
【０００１】
【発明の属する技術分野】
本発明は包装用容器に関し、特に容器の開閉の際に、使用者に楽しさを与え、購買意欲を飛躍的に向上させることができる包装用容器に関するものである。
【０００２】
【従来の技術】
従来から、包装用容器には、小粒の菓子類やビタミン剤などを収納する包装用容器がある。このような包装用容器では、被包装物を収納する収納部材の外周に、この収納部材を包むハウジング部材を筒状に設けた構成のものがあり、収納部材をハウジング部材の開口方向に摺動させることで被収納物を取り出すことができるものがあった。（例えば、特許文献１参照。）。
【０００３】
【特許文献１】
特開平１１−３３４７２３号公報  （第３−４頁、第８図）
【０００４】
【発明が解決しようとする課題】
しかしながら、このような従来の包装用容器では、包装用容器の開閉が単純であったため面白味に欠けていた。
【０００５】
そこで本発明は、容器の開閉の際に、使用者に楽しさを与え、購買意欲を飛躍的に向上させることができる包装用容器の提供を目的とする。
【０００６】
【課題を解決するための手段】
上記目的を達成するために、請求項１に係る発明による包装用容器１は、例えば図１に示すように、容器の外周を覆うハウジング部材１０と；ハウジング部材１０の内側に、該ハウジング部材１０と摺動自在に嵌め込まれ、内部に被包装物を収納する収納部材２０とを備え；ハウジング部材１０又は前記収納部材２０には、ハウジング部材１０と収納部材２０との摺動に伴って弾性エネルギーを蓄積させることが可能な反発部材２１が形成され；ハウジング部材１０と収納部材２０との摺動に伴って前記蓄積された弾性エネルギーを解放することにより反発部材２１と収納部材２０又はハウジング部材１０とを衝突させて音を発生させるように構成されている。
【０００７】
このように構成すると、ハウジング部材１０と収納部材２０との摺動に伴って、ハウジング部材１０又は前記収納部材２０に形成された反発部材２１が弾性エネルギーを蓄積し、さらに、ハウジング部材１０と収納部材２０との摺動に伴って蓄積した弾性エネルギーを解放することにより、反発部材２１と収納部材２０又はハウジング部材１０とを衝突させて音を発生するので、容器の開閉の際に、使用者に楽しさを与え、購買意欲を飛躍的に向上させることができる包装用容器を提供することができる。
【０００８】
また請求項２に記載のように、請求項１に記載の包装用容器１では、ハウジング部材１０は、シート状材料２で形成されたスリーブ１０であり、収納部材２０は、シート状材料２で形成された中舟２０であり；中舟２０には、シート状材料２を切り込むことにより反発部材２１を形成し、ハウジング部材１０は、シート状材料２を切り欠いて、切り欠き部分１１で前記蓄積された弾性ネルギーが解放されるように構成してもよい。
【０００９】
上記目的を達成するために、請求項３に係る発明による包装用容器１は、例えば図１に示すように、シート状材料２を互いに平行な罫線１２で折り曲げて、４つの長方形の平面１３ａ、１３ｂ、１３ｃ、１３ｄと、１つの貼り代１４を形成し、貼り代１４を前記４つの長方形の平面１３ａ、１３ｂ、１３ｃ、１３ｄの１つ１３ａに貼り付けることにより四角筒状に形成されたハウジング部材１０と；ハウジング部材１０の四角筒の内側に、ハウジング部材１０と摺動自在に嵌め込まれ、内部に被包装物を収納する、シート状材料２で形成された収納部材２０であって、１の面が開放された直方体の収納部材２０とを備え；収納部材２０の前記１の面に対向する面２４であってハウジング部材１０と摺動する面に、前記摺動の方向にほぼ平行な２本の線２１ａ、２１ｃと前記摺動の方向にほぼ直角な１本の線２１ｂとを切断することによりコの字状に切り込みを入れ、該切り込みを前記摺動の方向にほぼ直角な１本の線に平行な線２１ｄで外側に折り曲げることにより反発部材２１を形成し；貼り代１４を前記切り込みに対応する箇所で切り欠いて、該切り欠きの部分１１を前記反発部材２１が通過する際に反発して音を発生するように構成されている。
【００１０】
このように構成することで、収納部材２０に形成された反発部材２１が、貼り代１４の切り欠きの部分１１を通過する際に反発して音を発生するので、容器の開閉の際に、使用者に楽しさを与え、購買意欲を飛躍的に向上させることができる包装用容器を提供することができる。
【００１１】
また請求項４に記載のように、請求項１乃至請求項３のいずれか１項に記載の包装用容器１では、収納部材２０又はハウジング部材１０には、収納部材２０をハウジング部材１０から摺動させて引き出した際に、一定の位置で摺動を停止させるストッパー２５を形成してもよい。
【００１２】
【発明の実施の形態】
以下、本発明の実施の形態について、図面を参照して説明する。なお、各図においてお互いに同一あるいは相当する部材には同一符号を付し、重複した説明は省略する。
【００１３】
図１の展開平面図を参照して、本発明の第１の実施の形態に係る包装用容器１の構成について詳細に説明をする。包装用容器１は、容器の外周を覆うハウジング部材としてのスリーブ１０と、スリーブ１０と摺動自在に嵌め込まれ、内部に被包装物としての粒菓子類等を収納する収納部材としての中舟２０を備えている。本実施の形態では、スリーブ１０、中舟２０ともにシート状材料としての板紙２によって形成されている。さらに、中舟２０には反発部材としての切り込み片２１が形成されており、スリーブ１０には切り込み片２１に対応するように切り欠きの部分としての切り欠き１１が形成されている。
【００１４】
スリーブ１０は、図中上から、４つの長方形としての底板１３ａ、側板１３ｂ、天板１３ｃ、側板１３ｄと、貼り代１４によって形成されており、各長方形１３ａ、１３ｂ、１３ｃ、１３ｄ及び貼り代１４は、互いに平行な罫線１２を介して連設されている。スリーブ１０は、この罫線１２で順次直角に折り曲げ形成し、底板１３ａと貼り代１４との重合部分を、貼り代１４が内側になるように接合することで四角筒状に形成されている。さらに、貼り代１４には、切り欠き１１が形成されている。
【００１５】
切り欠き１１は、貼り代１４を構成している板紙２の所定の部分を切除することで形成されている。切り欠き１１の下部には、貼り代１４と接合されている底板１３ａが配置されており、切り欠き１１と底板１３ａを合わせて凹部を形成している（図３参照）。即ち、切り欠き１１から、底板１３ａの一部分が露出するよう形成されている。なお、ここでの所定の部分とは、後述する切り込み片２１に対応し、該切り込み片２１よりも、やや大きい部分である。具体的には後で詳細に説明する。
【００１６】
中舟２０は、長方形の側板２３ｂ、側板２３ｃ、側板２３ｄ、側板２３ｅと、底板２４によって形成されており、側板２３ｂ、側板２３ｃ、側板２３ｄ、側板２３ｅと底板２４とは、それぞれ罫線２２を介して連設されている。側板２３ｂの底板２４が連設されている端部の反対側の端部には、罫線２２を介して凸部２３ａが連設されている。側板２３ｅの底板２４が連設されている端部の反対側の端部には、罫線２２を介して凸部２３ｆが連設されている。側板２３ｃ、２３ｄの２３ｂ及び２３ｅ側の各端部には、罫線２２を介して凸部が連設されている。中舟２０は、各側板２３ｂ、２３ｃ、２３ｄ、２３ｅを底板２４側の各罫線２２で、紙面に向かって山折りとすることで、底板２４と対向する１の面が開放された直方体となるよう構成されている。さらに中舟２０は、側板２３ｃ、２３ｄの２３ｂ側の凸部を、凸部２３ａと側面２３ｂとの間に挟み込み、凸部２３ａと側面２３ｂとを接合することで端部を形成している。もう一方の端部も上記と同様に形成してもよいが、本実施の形態では中舟の形状が保たれる範囲で、多少ルーズに形成されている。また、側面２３ｂの摺動方向に垂直な方向の長さは、スリーブ１０の摺動方向に垂直な方向の長さよりもやや長く形成されている。即ち、側面２３ｂは、中舟２０を摺動させてスリーブ１０に収納する際に、一定の位置でスリーブ１０の縁部と当接することにより摺動を停止させるストッパーとして機能するようにも構成されている（図２参照）。さらに、底板２４の図中およそ左下には、切り込み片２１が形成されている。なお、摺動方向とは図２に示すように、中舟２０がスリーブ１０に対して相対的に移動する方向である。
【００１７】
切り込み片２１は、中舟２０のスリーブ１０に対する摺動方向、即ち図中左右方向にほぼ平行な切り込み線２１ａ、２１ｃおよび、摺動方向にほぼ垂直な方向、即ち図中上下方向にほば平行な切り込み線２１ｂを切断し、図に示すように全体としてコの字状に切り込みを入れ、さらに、２１ａ及び２１ｃの２１ｂ側と反対側の端部を結ぶ折り曲げ線２１ｄで紙面に向かって谷折りすることで、後述するように弾性エネルギーを蓄積できるように形成されている。
【００１８】
切り込み片２１の摺動方向に垂直な方向の長さ、即ち切り込み線２１ｂの長さＬ２１は、切り欠き１１の摺動方向に垂直な方向の長さＬ１１よりも短く、さらに、切り込み片２１の摺動方向の長さ、即ち切り込み線２１ａの長さＬ２２は、切り欠き１１の摺動方向の長さＬ１２よりも短く形成されている。即ち、切り込み片２１は、切り欠き１１に充分に収容可能に形成されている。
【００１９】
図２（Ａ）の下斜めから見た斜視図に示すように、中舟２０は、スリーブ１０の底板１３ａの内側の面と、中舟２０の底板２４の外側の面とが接するようにスリーブ１０の内側に嵌め込まれ、スリーブ１０の開口方向に摺動自在に構成されている。このため、中舟２０の摺動方向に垂直な方向の長さ及び高さは、それぞれスリーブ１０の摺動方向に垂直な方向の長さ及び高さと比べてやや短く構成されている。また、切り込み片２１及び切り欠き１１は、中舟２０を摺動させる際に、切り込み片２１が切り欠き１１に充分に収容されるように（図２（Ｂ）参照）、貼り代１４の摺動方向に垂直な方向の長さＬ１３と、側板２３ｄ（図１参照）と底板２４とを連設する罫線２２から切り込み線２１ａまでの長さＬ２３とが、ほぼ等しい長さとなるよう配置されている。なお、以下の説明では摺動時に中舟２０が通過するスリーブ１０の開口部を開口Ａ、開口Ａに対向し中舟２０が通過しない開口部を開口Ｂ（図１参照）とする。
【００２０】
さらに、切り込み片２１は、中舟２０を収納すべく摺動させる際、切り込み片２１の内側の表面とスリーブ１０の底板１３ａの縁部とが当接し、さらに摺動をつづけることで、切り込み片２１は、切り込み片２１の外側の表面と底板２４の外側の表面とが接するように折り曲げられ、弾性エネルギーを蓄積するように構成されている（図３（Ｄ）参照）。即ち、切り込み片２１は、スリーブ１０と中舟２０との摺動に伴って弾性エネルギーを蓄積するように構成されている。
【００２１】
弾性エネルギーを蓄積した切り込み片２１は、摺動に伴って、切り欠き１１と底板１３ａによって形成されている凹部を通過する際に、弾性エネルギーを開放し、切り込み片２１と切り欠き１１から露出している底板１３ａの一部分とが衝突することで音を発生するように構成されている（図３（Ｆ）参照）。
【００２２】
また図２（Ｂ）を参照して、切り込み片２１の外側の表面と底板２４の外側の表面とが接するように折り曲げられた状態で、スリーブ１０の開口Ａの縁部から切り欠き１１の開口Ａ側の縁部１１’までの長さＬ１４と、底板２４と側板２３ｂを連設する罫線２２から切り込み片２１の折り曲げ線２１ｄに対向する端部２１’までの長さ、即ち側板２３ｂから切り込み２１の折り曲げ線２１ｄまでの長さＬ２４から長さＬ２２を引いた長さとが、切り込み片２１が切り欠き１１に充分に収容される範囲でほぼ等しい。したがって、切り込み片２１は、中舟２０がスリーブ１０に収納されている状態で、切り欠き１１に充分に収納される位置に配置されている。このため、中舟２０がスリーブ１０に完全に収納されるのとほぼ同時に音が発生するよう構成されている。なお本実施の形態では、Ｌ１４またはＬ２４あるいは両方の長さを調節することで、音が鳴るタイミングを任意に調節することが可能に構成されている。
【００２３】
また、スリーブ１０に中舟２０が収納されている状態から、中舟２０を引き出すべく摺動する際、切り込み片２１の端部２１’は、切り欠き１１の縁部１１’に当接し、さらに摺動をつづけることで、切り込み片２１は、切り込み片２１を折り曲げることで形成された底板２４の開口を塞ぐような形に反転するよう構成されている（図３（Ｂ）参照）。この反転の際にも、切り込み片２１には弾性エネルギーが蓄積される。なお、切り込み片２１の長さＬ２２は、この反転が可能な長さである。この反転可能な長さは、例えば切り込み片２１が反転しようとする際に、スリーブ１０の底板１３ａと中舟２０の底板２４とを押し広げ、底板１３ａと底板２４が歪むことによって生じる空間の大きさによって決定され、この空間内で切り込み片２１が反転できる長さである。以下の説明でも特にことわりのない限り同様である。
【００２４】
また、包装用容器１では、中舟２０またはスリーブ１０に、中舟２０をスリーブ１０から摺動させて引き出した際に、一定の位置で摺動を停止させるストッパー２５を設けてもよい。ストッパー２５は、切り込み片２１とほぼ同様に、切り込み線２５ａ、２５ｂ、２５ｃにコの字型に切り込みを入れ、折り曲げ線２５ｄで折り曲げることで形成されている。ストッパー２５は、摺動方向に垂直な方向では切り込み片２１とほぼ同位置、摺動方向では切り込み片２１に対して開口Ｂ側の位置に配置されており、中舟２０をスリーブ１０から引き出すべく摺動させる際に、ストッパー２５の折り曲げ線２５ｄに対向する端部２５’が、切り欠き１１の端部１１’に当接するよう構成されている。ストッパー２５の切り込み線２５ａの長さＬ２５は、ストッパー２５が端部１１’に当接して反転しようとする際に、スリーブ１０の底板１３ａと中舟２０の底板２４とを押し広げ、底板１３ａと底板２４が歪むことによって生じる空間内でストッパー２５が反転できない長さとなっている。このことにより、中舟２０をスリーブ１０から引き出す際の摺動は、一定の位置で停止するように構成されている。なお、上記説明の、図２（Ａ）では、説明のためストッパー２５は、スリーブ１０の外側に露出している図となっているが、実際には、中舟２０をスリーブ１０に完全に収納し、切り欠き１１の端部１１’を通過した後、再び引き出す際には、上記のような構成であることから、中舟２０がスリーブ１０から抜け落ちてしまうことはない。後述する図５（Ａ）、図８（Ａ）でも同様である。
【００２５】
図３の部分断面図を参照して、包装用容器１の作用について説明する。（Ａ）はスリーブ１０に収納されている中舟２０を、引き出すべく摺動させている状態を示す図である。図に示すように、中舟２０を摺動させると、まず折り込み片２１の端部２１’が、切り欠きの縁部１１’に当接する。さらに摺動をつづけることで、（Ｂ）に示すように、切り込み片２１は反転し、切り込み片２１を折り曲げることで形成された底板２４の開口を塞ぐような形に折り返され、弾性エネルギーを蓄積する。切り込み片２１に弾性エネルギーを蓄積した状態で、中舟２０の摺動をつづけ、切り込み片２１の端部２１’が、スリーブ１０の縁部を通過する際に、蓄積した弾性エネルギーを開放する。このときは、切り込み片２１と衝突するものが存在していないため音は発生しない。さらに、中舟２０を摺動すると、図３に不図示のストッパー２５の端部２５’（図２参照）が、切り欠き１１の端部１１’に当接する。ストッパー２５は、上述したように摺動方向の長さＬ２５（図２参照）が充分に長いため反転せず、これにより、中舟２０を引き出す際の摺動は一定の位置で停止させられる。
【００２６】
次に、中舟２０をスリーブ１０に収納すべく摺動させると、（Ｃ）に示すように、切り込み片２１の内側の表面が、スリーブ１０の底板１３ａの縁部に当接する。さらに摺動をつづけることで、（Ｄ）に示すように、切り込み片２１は反転し、切り込み片２１の外側の表面と底板２４の外側の表面とが接するように折り曲げられ、弾性エネルギーを蓄積する。さらに、（Ｅ）に示すように、切り込み片２１に弾性エネルギーを蓄積した状態で、中舟２０の摺動をつづけ、切り込み片２１の端部２１’が、切り込み１１の縁部１１’を通過すると、（Ｆ）に示すように、切り込み片２１は、蓄積した弾性エネルギーを開放し、切り込み片２１と切り欠き１１から露出している底板１３ａの一部分とが衝突することで音を発生する。さらに、音が発生するのとほぼ同時に、中舟２０の側面２３ｂ（図２参照）が、一定の位置でスリーブ１０の縁部と当接することにより中舟２０の摺動を停止させる。
【００２７】
なお、中舟２０をスリーブ１０に収納する際は、（Ｄ）、（Ｅ）に示すように、蓄積される弾性エネルギーは底板２４を折り曲げる方向であるので、蓄積される弾性エネルギーは大きい。したがって、（Ｆ）で示すような状態で発生する音は充分に強い音となる。一方、中舟２０をスリーブ１０から引き出す際は、（Ｂ）に示すように蓄積される弾性エネルギーは比較的小さい。
【００２８】
以上の包装用容器１によれば、中舟２０をスリーブ１０に収納すべく摺動する際に１回だけ強い音が発生する。これにより、使用者が包装用容器１を閉鎖する際に、楽しさを与えることができる。また、完全に収納されるのとほぼ同時に音が発生し、包装用容器１が完全に閉まったことを確認することができるため、例えば包装用容器が完全に閉まったことを確認せずに包装用容器を取り扱ったため被内容物が包装用容器から飛び出すようなことがなくなる。さらに、中舟２０をスリーブ１０から引き出すべく摺動する際には、一定の位置で摺動が停止するので、中舟２０を引き出しすぎて、スリーブ１０から脱落し被内容物をまき散らしてしまうこともない。
【００２９】
次に、図４の展開平面図を参照して第２の実施の形態である包装用容器１００について説明する。包装用容器１００はスリーブ１０、中舟２０、切り込み片２１、ストッパー２５を備える点は、第１の実施の形態と同様である。その他、第１の実施の形態と共通する構成については、重複した説明はできるだけ省略する。
【００３０】
切り欠き１１１ａと１１１ｂは、貼り代１４を形成している板紙２の所定の部分を切除することで形成されている。切り欠き１１１ａと１１１ｂの下部には、貼り代１４と接合されている底板１３ａが配置されており、切り欠き１１１ａと１１１ｂは、それぞれ底板１３ａを合わせて凹部を形成している（図６参照）。即ち、切り欠き１１１ａと１１１ｂから、それぞれ底板１３ａの一部分が露出するよう形成されている。なお、ここでの所定の部分とは、切り込み片２１、切り込み片１２６に対応し、切り込み片２１、切り込み片１２６よりも、やや大きい部分である。具体的には後で詳細に説明する。
【００３１】
切り込み片１２６は、切り込み線２１ｂを基準にして、切り込み片２１と線対称に形成されている。即ち、切り込み線１２６ａ、１２６ｃおよび、切り込み線２１ｂを切断し、図に示すように、紙面に向かって全体としてコの字を左右反転させた形に切り込みを入れ、さらに、折り曲げ線１２６ｄで紙面に向かって谷折りすることで、弾性エネルギーを蓄積できるように形成されている。
【００３２】
次に、図５（Ａ）の下斜めから見た斜視図を参照する。切り込み片１２６と切り込み片２１とは線対称形であるため、切り込み片１２６の摺動方向に垂直な方向の長さ、即ち折り曲げ線１２６ｄの長さは、切り込み線２１ｂの長さＬ２１と等しく、切り込み片１２６の摺動方向の長さ、即ち切り込み線１２６ａ（図４参照）の長さＬ１２２は、長さＬ２２と等しい。長さＬ２１は、切り欠き１１１ａの摺動方向に垂直な方向の長さＬ１１よりも短く、長さＬ２２は、切り欠き１１１ａの摺動方向の長さＬ１１２ａよりも短く形成されている。即ち、切り込み片２１及び切り込み片１２６は、切り欠き１１１ａに充分に収容可能に形成されている。同様に、長さＬ２１は、切り欠き１１１ｂの摺動方向に垂直な方向の長さＬ１１よりも短く、長さＬ２２は、切り欠き１１１ｂの摺動方向の長さＬ１１２ｂよりも短く形成されている。即ち、切り込み片１２６は、切り欠き１１１ｂに充分に収容可能に形成されている。また、切り込み片２１、１２６及び切り欠き１１１ａ、１１１ｂは、中舟２０を摺動させる際に、切り込み片２１は切り欠き１１１ａに、切り込み片１２６は切り欠き１１１ａ及び切り欠き１１１ｂに充分に収容されるように（図５（Ｂ）参照）、長さＬ１３と長さＬ２３とが、ほぼ等しい長さとなるよう配置されている。
【００３３】
さらに、切り込み片１２６は、中舟２０を引き出すべく摺動する際、切り欠き１１１ｂの開口Ａ側の縁部１１１ｂ’と切り込み片１２６の折り曲げ線１２６ｄに対向する端部１２６’とが当接し、さらに摺動をつづけることで、切り込み片１２６は、切り込み片１２６の外側の表面と底板２４の外側の表面とが接するように反転することで折り曲げられ、弾性エネルギーを蓄積するように構成されている（図６（Ｂ））。即ち、切り込み片１２６は、スリーブ１０と中舟２０との摺動に伴って弾性エネルギーを蓄積するように構成されている。
【００３４】
弾性エネルギーを蓄積した切り込み片１２６は、摺動に伴って、切り欠き１１１ａと底板１３ａによって形成されている凹部を通過する際に、弾性エネルギーを開放し、切り込み片１２６と切り欠き１１１ａから露出している底板１３ａの一部分とが衝突することで音を発生するように構成されている（図６（Ｃ）参照）。
【００３５】
図５（Ｂ）に示すように、切り込み片１２６が、切り込み片１２６を折り曲げることで形成された底板２４の開口を塞ぐような形に折り返された状態（図６（Ｆ））で、底板２４と側板２３ｂを連設する罫線２２から切り込み片１２６の端部１２６’までの長さ、即ち長さＬ２４とＬ２２を足した長さ（図４参照）と、スリーブ１０の開口Ａの縁部から切り欠き１１１ｂの縁部１１１ｂ’までの長さ、即ち長さＬ１４、Ｌ１１２ａ、Ｌ１１２ｃを足した長さとがほぼ等しい。また前述したように、長さＬ１４と、長さＬ２４から長さＬ２２を引いた長さはほぼ等しい。したがって、切り込み片２１と切り込み片１２６はそれぞれ、中舟２０がスリーブ１０に収納されている状態で、切り込み片２１は切り欠き１１１ａに、切り込み片１２６は切り込み１１１ｂに充分に収納される位置に配置されている。
【００３６】
次に、包装用容器１００の作用について説明する。切り欠き１１１ａは第１の実施の形態での切り欠き１１に対応しているため、切り込み片２１は、第１の実施の形態とほぼ同様に作用する。即ち、中舟２０をスリーブ１０に収納すべく摺動する際に、中舟２０がスリーブ１０に完全に収納されるのとほぼ同時に音が発生する。また、切り込み片２１が切り欠き１１１ｂに至る前に、側面２３ｄがスリーブ１０の縁部と当接し、摺動を停止させるので、切り込み片２１は切り欠き１１１ｂは通過しない。したがって、切り込み片２１によって音が発生するのは１回だけである。切り込み片１２６の作用については、図６の部分断面図を参照して説明する。なお、図６は、切り込み片１２６について説明するため、切り込み片２１は省略した図としている。
【００３７】
図６の部分断面図を参照して、包装用容器１００の切り込み片１２６の作用について説明する。（Ａ）はスリーブ１０に収納されている中舟２０を、引き出すべく摺動させている状態を示す図である。図に示すように、中舟２０を摺動させると、まず切り込み片１２６の端部１２６’が、切り欠き１１１ｂの縁部１１１ｂ’に当接する。さらに摺動をつづけることで、（Ｂ）に示すように、切り込み片１２６は反転し、切り込み片１２６の外側の表面と底板２４の外側の表面とが接するように折り曲げられ、弾性エネルギーを蓄積する。切り込み片１２６に弾性エネルギーを蓄積した状態で、中舟２０の摺動をつづけ、切り込み片１２６の端部１２６’が、切り欠き１１１ａの開口Ａ側の縁部１１１ａ’と対向する縁部を通過すると、（Ｃ）に示すように、切り込み片１２６は、蓄積した弾性エネルギーを開放し、切り込み片１２６と切り欠き１１１ａから露出している底板１３ａの一部とが衝突することで充分に強い音を発生する。
【００３８】
さらに摺動をつづけると、切り込み片１２６の内側の表面と、切り欠き１１１ａの縁部１１１ａ’とが当接し、（Ｄ）に示すように、切り込み片１２６は再び折り曲げられ（このときは反転しない）弾性エネルギーを蓄積する。切り込み片１２６に弾性エネルギーを蓄積した状態で、中舟２０の摺動をつづけ、切り込み片１２６の端部１２６’が、スリーブ１０の縁部を通過する際に、再び蓄積した弾性エネルギーを開放する。このときは、切り込み片１２６と衝突するものが存在していないため音は発生しない。さらに、中舟２０を摺動すると、図６には不図示のストッパー２５の端部２５’（図５参照）が、切り欠き１１１ｂの端部１１１ｂ’に当接する。ストッパー２５は、上述の通り反転しないため、中舟２０を引き出す際の摺動は一定の位置で停止させられる。
【００３９】
次に、中舟２０をスリーブ１０に収納すべく摺動させると、（Ｅ）に示すように、切り込み片１２６の外側の表面が、スリーブ１０の縁部に当接する。さらに摺動をつづけることで、（Ｆ）に示すように、切り込み片１２６は、切り込み片１２６を折り曲げることで形成された底板２４の開口を塞ぐような形に折り返され、弾性エネルギーを蓄積する。さらに、切り込み片１２６に弾性エネルギーを蓄積した状態で、中舟２０の摺動をつづけ、切り込み片１２６の端部１２６’が、切り欠き１１１ａの縁部１１１ａ’を通過すると、（Ｇ）に示すように、切り込み片１２６は、蓄積した弾性エネルギーを開放し、切り込み片１２６と切り欠き１１１ａから露出している底板１３ａの一部分とが衝突することで音が発生する。このときの音は軽い音である。さらに摺動をつづけると、切り込み片１２６の外側の表面と、切り欠き１１１ａの縁部１１１ａ’と反対側の縁部とが当接し、（Ｈ）に示すように、切り込み片１２６は再び折り返され（このときは反転しない）弾性エネルギーを蓄積する。切り込み片１２６に弾性エネルギーを蓄積した状態で、中舟２０の摺動をつづけ、切り欠き１１１ｂの縁部１１１ｂ’を通過すると、（Ｉ）に示すように、切り込み片１２６は、再び蓄積した弾性エネルギーを開放し、切り込み片１２６と切り欠き１１１ａから露出している底板１３ａの一部分とが衝突することで音が発生し、このときの音も軽い音である。なお、（Ｇ）及び（Ｉ）の場合では、（Ｃ）の場合と比べると、切り込み片１２６に蓄積されたエネルギーが小さいため、発生する音もやや軽くなる。また、切り込み片１２６を設けることにより、中舟２０をスリーブ１０から引き出す際に、強い音を出すことができる。
【００４０】
以上の包装用容器１００によれば、中舟２０をスリーブ１０から引き出すべく摺動する際に、切り込み片１２６により１回だけ強い音が発生する。さらに、中舟２０をスリーブ１０に収納すべく摺動する際に、切り込み片２１と切り込み片１２６によって合わせて３回音が発生し、そのうち切り込み片１２６によって発生する２回の音は軽い音である。また、切り込み片２１による残りの１回の音は強い音であり、中舟２０がスリーブ１０に完全に収納されるのとほぼ同時に発生する。これにより、使用者が包装用容器１を開閉する際に、楽しさを与えることができる。また、以上の包装用容器１００では、音が発生する回数は、収納時に３回、引き出し時に１回であるが、上記で説明したような構成であるため、切り込み片又は切り欠きあるいは両方の、数または位置あるいは両方を任意に決定することによって、包装用容器１００の開閉時に発生する音の回数、タイミングを決めることができる。例えば、上記説明の、図６（Ｄ）で説明した、切り込み片１２６に蓄積したエネルギーを開放する際に、切り込み片１２６と衝突できるものを配置する、例えば、貼り代１４の開口Ａ側に、切り込み片１２６を充分に収容できる大きさの切り欠きを、切り込み片１２６を充分に収容できる位置に配置し、底板１３ａの一部分を露出させることで、引き出し時に発生する音の回数を１回増やすことができる。さらに、中舟２０をスリーブ１０から引き出すべく摺動させる際に、ストッパー２５によって一定の位置で摺動が停止するのと同時に音が発生するように、切り込み片又は切り欠きあるいは両方の、数または位置あるいは両方を調節することで、包装用容器が完全に解放したことを確認することもできる。
【００４１】
次に、図７の展開平面図を参照して第３の実施の形態である包装用容器２００について説明する。包装用容器２００はスリーブ１０、中舟２０、切り込み片２１、ストッパー２５を備える点は、第１、第２の実施の形態と同様である。その他、第１、第２の実施の形態と共通する構成については、重複した説明はできるだけ省略する。
【００４２】
切り欠き２１１は、折り込み片２１５を形成している板紙２の所定の部分を切除することで形成されている。折り込み片２１５は、スリーブ１０の底板１３ａの開口Ａ側、図中紙面に向かって左側の縁部に罫線２１２を介して連設されている。スリーブ１０は、罫線１２で順次直角に折り曲げ形成し、さらに折り込み片２１５を罫線２１２で紙面に向かって谷折りし、図８に示すように、底板１３ａと折り込み片２１５との間に、貼り代１４を挟み込むように接合することで四角筒状に形成されている。また、切り欠き２１１と貼り代１４とは、合わせて凹部を形成しており、切り欠き２１１から貼り代１４の一部分が露出するよう形成されいる。切り欠き２１１の紙面向かって上下方向の長さＬ２１１は長さＬ２１よりも大きく、切り欠き２１１の紙面向かって左右方向の長さＬ２１２は長さＬ２２よりも大きい。即ち、切り欠き２１１は、切り込み片２１を充分に収容できる大きさに形成されている。
【００４３】
さらに、図９（Ａ）の下斜めから見た斜視図に示すように、切り欠き２１１と切り込み片２１は、中舟２０を摺動させる際に、切り込み片２１が切り欠き２１１に、充分に収容されるように、図７で示した底板１３ａの１３ｂが連設されている端部と反対側の縁部から切り欠き２１１の紙面に対して左右方向に平行で側板１３ｂ側の縁部までの長さＬ２１３と長さＬ２３とが、ほぼ等しい長さとなるよう配置されている。さらに、切り込み片２１の外側の表面と底板２４の外側の表面とが接するように折り曲げられた状態で、図９（Ｂ）に示すように、スリーブ１０の開口Ａの縁部から切り欠き２１１の図中開口Ａ側の縁部２１１’までの長さ、即ち長さＬ２１４と、底板２４と側板２３ｂを連設する罫線２２から切り込み片２１の端部２１’までの長さ、即ち長さＬ２４から長さＬ２２を引いた長さとが、切り込み片２１が切り欠き１１に充分に収容される範囲でほぼ等しい。したがって、切り欠き２１１は、中舟２０がスリーブ１０に収納されている状態で、切り込み片２１を充分に収納する位置に配置されている。このため、中舟２０がスリーブ１０に完全に収納されるのとほぼ同時に音が発生するよう構成されている。さらに、切り欠き２１１は、中舟２０を引き出すべく摺動する際、切り込み片２１の端部２１’と切り欠き２１１の開口Ａ側の縁部２１１’とが当接するように配置されており、さらに摺動をつづけることで、切り込み片２１が、切り込み片２１を折り曲げることで形成された底板２４の開口を塞ぐような形に折り返され、弾性エネルギーを蓄積するように構成されている。
【００４４】
包装用容器２００の作用については、上記で説明した切り欠き２１１と切り欠き２１１から露出している貼り代１４がそれぞれ、第１の実施の形態での切り欠き１１と切り欠き１１から露出している底板１３ａに対応しているため、第１の実施の形態とほぼ同様に作用する。即ち、中舟２０をスリーブ１０に収納すべく摺動する際に、中舟２０がスリーブ１０に完全に収納されるのとほぼ同時に強い音が１回だけ発生する。
【００４５】
本発明の実施の形態は、上述した実施の形態に限定されず、特許請求の範囲に記載された範囲で種々の変更が可能である。上記説明では、スリーブは四角筒状、中舟は１の面が開放された直方体として説明したが、例えば、スリーブは円筒状、中舟は一部分が開放された円柱であってもよい。
【００４６】
上記説明では、シート状材料は板紙として説明したが、弾性エネルギーを蓄積することが可能な弾性体であればよく、例えばプラスチックシートを用いた場合には、板紙に比べて弾力性があり蓄積される弾性エネルギーが大きいので、より大きな音が発生する。
【００４７】
上記説明では、反発部材としての切り込み片は中舟に、配置するものとして説明したが、スリーブに配置してもよい。このときには、中舟の底板の摺動面側に、切り込み片を充分に収容できる大きさの切り欠きを、切り込み片を充分に収容できる位置に設けて、底板と合わせて凹部を形成し、底板の一部分を露出するように構成すればよい。
【００４８】
【実施例】
図１の展開平面図を参照して本発明の具体的な実施例について説明する。包装用容器１は、スリーブ１０、中舟２０ともに板紙２によって形成した。切り込み片２１の長さＬ２１を１０ｍｍ、切り欠き１１の長さＬ１１を１１ｍｍとし、さらに、切り込み片２１の長さＬ２２を５ｍｍ、切り欠き１１の長さＬ１２を２０ｍｍとすることで、切り込み片２１が、切り欠き１１に充分に収容可能に形成した。切り込み片２１の長さＬ２２を５ｍｍとしたのは、スリーブ１０に中舟２０が収納されている状態から、中舟２０を引き出すべく摺動する際、切り込み片２１の端部２１’が、切り欠き１１の縁部１１’に当接し、さらに摺動をつづけることで、切り込み片２１が、切り込み片２１を折り曲げることで形成された底板２４の開口を塞ぐような形に反転することが可能な長さとするためである。
【００４９】
さらに、中舟２０を摺動させる際に、切り込み片２１が切り欠き１１に充分に収容されるように（図２（Ｂ）参照）、長さＬ１３及び長さＬ２３ともに１５ｍｍとした。長さＬ１４を１０ｍｍ、長さＬ２４を１６ｍｍとすることで、中舟２０がスリーブ１０に完全に収納される際に、切り込み片２１の外側の表面と底板２４の外側の表面とが接するように折り曲げられた状態で、切り込み片２１が切り欠き１１に充分に収容されるようにした。これにより、中舟２０がスリーブ１０に完全に収納されるのとほぼ同時に音が発生するよう構成した。
【００５０】
ストッパー２５の切り込み線２５ａの長さＬ２５は、ストッパー２５が反転しようとする際に、スリーブ１０の底板１３ａと中舟２０の底板２４とを押し広げ、底板１３ａと底板２４が歪むことによって生じる空間内でストッパー２５が反転できない長さであり、ここでは１０ｍｍとした。また、側面２３ｂの摺動方向に垂直な方向の長さの長さは、スリーブ１０の摺動方向に垂直な方向の長さよりも両側に１ｍｍずつ、合わせて２ｍｍ程度長く形成した。
【００５１】
つぎに、図３の部分断面図を参照して包装用容器１の具体的な作用を説明する。中舟２０がスリーブ１０に完全に収納されている状態から、中舟２０を摺動させると、（Ａ）に示すように、まず折り込み片２１の端部２１’が、切り欠きの縁部１１’に当接した。さらに摺動をつづけることで、（Ｂ）に示すように、切り込み片２１は反転し、切り込み片２１を折り曲げることで形成された底板２４の開口を塞ぐような形に折り返され、弾性エネルギーを蓄積した。切り込み片２１に弾性エネルギーを蓄積した状態で、中舟２０の摺動をつづけ、切り込み片２１の端部２１’が、スリーブ１０の縁部を通過する際に、蓄積した弾性エネルギーを開放した。このときは、切り込み片２１と衝突するものが存在していないため音は発生しなかった。さらに、中舟２０を摺動すると、ストッパー２５の端部２５’（図２参照）が、切り欠き１１の端部１１’に当接し、中舟２０を引き出す際の摺動は一定の位置で停止した。
【００５２】
次に、中舟２０をスリーブ１０に収納すべく摺動させると、（Ｃ）に示すように、切り込み片２１は、スリーブ１０の底板１３ａの縁部に当接した。さらに摺動をつづけることで、（Ｄ）に示すように、切り込み片２１は反転し、切り込み片２１の外側の表面と底板２４の外側の表面とが接するように折り曲げられ、弾性エネルギーを蓄積した。さらに、（Ｅ）に示すように、切り込み片２１に弾性エネルギーを蓄積した状態で、中舟２０の摺動をつづけ、切り込み片２１の端部２１’が、切り込み１１の縁部１１’を通過すると、（Ｆ）に示すように、切り込み片２１は、蓄積した弾性エネルギーを開放し、切り込み片２１と切り欠き１１から露出している底板１３ａの一部分とが衝突することで強い音が発生した。さらに、音が発生するのとほぼ同時に、中舟２０の側面２３ｂが、一定の位置でスリーブ１０の縁部と当接することにより中舟２０の摺動は停止した。
【００５３】
以上の包装用容器１によれば、使用者が包装用容器１を閉鎖する際に音を発生するので、使用者に楽しさを与えることができることを確認した。また、完全に収納されるのとほぼ同時に強い音が発生することが確認された。これにより、包装用容器が完全に閉まったことを確認せずに取り扱ったため被内容物が包装用容器から飛び出すようなことがなくなった。さらに、中舟２０をスリーブ１０から引き出すべく摺動する際には、一定の位置で摺動が停止したので、中舟２０を引き出しすぎて、スリーブ１０から脱落し被内容物をまき散らしてしまうこともなくなった。
【００５４】
【発明の効果】
以上のように本発明によれば、容器の外周を覆うハウジング部材と、前記ハウジング部材の内側に、該ハウジング部材と摺動自在に嵌め込まれ、内部に被包装物を収納する収納部材とを備え、前記ハウジング部材又は前記収納部材には、前記ハウジング部材と前記収納部材との摺動に伴って弾性エネルギーを蓄積させることが可能な反発部材が形成され、前記ハウジング部材と前記収納部材との摺動に伴って前記蓄積された弾性エネルギーを解放することにより前記反発部材と前記収納部材又は前記ハウジング部材とを衝突させて音を発生させるように構成されているので、容器の開閉の際に、使用者に楽しさを与え、購買意欲を飛躍的に向上させることができる包装用容器を提供することができる。
【図面の簡単な説明】
【図１】本発明の第１の実施の形態にかかる包装用容器の展開平面図である。
【図２】本発明の第１の実施の形態にかかる包装用容器の下斜め方向から見た概略斜視図であり、（Ａ）は中舟をスリーブから引き出した状態を示す図であり、（Ｂ）は中舟をスリーブに収納した状態を示す図である。
【図３】本発明の第１の実施の形態にかかる包装用容器の動作を説明するための部分断面図である。
【図４】本発明の第２の実施の形態にかかる包装用容器の展開平面図である。
【図５】本発明の第２の実施の形態にかかる包装用容器の下斜め方向から見た概略斜視図であり、（Ａ）は中舟をスリーブから引き出した状態を示す図であり、（Ｂ）は中舟をスリーブに収納した状態を示す図である。
【図６】本発明の第２の実施の形態にかかる包装用容器の動作を説明するための部分断面図である。
【図７】本発明の第３の実施の形態にかかる包装用容器の展開平面図である。
【図８】本発明の第３の実施の形態にかかる包装用容器の部分断面図である。
【図９】本発明の第３の実施の形態にかかる包装用容器の下斜め方向から見た概略斜視図であり、（Ａ）は中舟をスリーブから引き出した状態を示す図であり、（Ｂ）は中舟をスリーブに収納した状態を示す図である。
【符号の説明】
１、１００、２００  包装用容器
２  板紙
１０  スリーブ
１１、１１１ａ、１１１ｂ、２１１  切り欠き
１４  貼り代
２０  中舟
２１、１２６  切り込み片
２５  ストッパー
２１５  折り込み片
【図１】
2004323079.tif 000003
【図２】
2004323079.tif 000004
【図３】
2004323079.tif 000005
【図４】
2004323079.tif 000006
【図５】
2004323079.tif 000007
【図６】
2004323079.tif 000008
【図７】
2004323079.tif 000009
【図８】
2004323079.tif 000010
【図９】
2004323079.tif 000011